(57)【要約】      （修正有）【課題】電子装置への電子コンテンツの効果的な実装。【解決手段】電子装置上に情報を埋め込むためのシステム及び方法は、埋め込み情報を記憶するために電子装置に接続されているメモリ装置を備える。電子装置は、埋め込み情報にアクセスしてその情報を利用する。最初に、装置のユーザは、装置の注文を生成する装置注文システムを利用する。その装置の注文は、埋め込み情報を具体的に特定する。そして、装置の注文は、装置のユーザに電子装置を供給する前に、埋め込み情報を用いてメモリ装置のイメージの取得を行う装置製造プロセス中に利用される。【選択図】図１
2009289261.tif 000002
【特許請求の範囲】
【請求項１】
電子装置を実装するためのシステムであって、
前記電子装置に接続されているメモリ装置であって、前記電子装置がアクセスし利用するための埋め込み情報を記憶するメモリ装置と、
前記埋め込み情報を具体的に特定するよう装置のユーザが作成する装置の注文であって、前記埋め込み情報を用いて前記メモリ装置のイメージを取得する装置製造プロセス中に利用される装置の注文と、
を備えることを特徴とするシステム。
【請求項２】
請求項１に記載のシステムであって、前記装置の注文は、前記装置製造プロセスの前に前記装置のユーザが作成することを特徴とするシステム。
【請求項３】
請求項１に記載のシステムであって、前記装置の注文は、注文装置及びネットワークサーバを備える装置注文システムを用いることによって前記装置のユーザが作成することを特徴とするシステム。
【請求項４】
請求項３に記載のシステムであって、前記ネットワークサーバは、前記装置の注文を生成するために前記装置のユーザに情報を提供するよう埋め込み用データベースを参照する注文マネージャを備えることを特徴とするシステム。
【請求項５】
請求項３に記載のシステムであって、前記注文装置は、前記電子装置の製造者によってサポートされる前記ネットワークサーバとインターネット接続を介して通信することを特徴とするシステム。
【請求項６】
請求項１に記載のシステムであって、前記埋め込み情報は、一又は二以上の電子コンテンツアイテムを含むことを特徴とするシステム。
【請求項７】
請求項６に記載のシステムであって、前記電子コンテンツアイテムは、映画、録音音声、図、画像、ビデオクリップ、文書のテキスト、及びソフトウエアプログラムを含むことを特徴とするシステム。
【請求項８】
請求項１に記載のシステムであって、前記埋め込み情報は、一又は二以上のコンピュータゲームを含むことを特徴とするシステム。
【請求項９】
請求項１に記載のシステムであって、前記埋め込み情報は、一又は二以上のユーザの好み及び装置の設定を含むことを特徴とするシステム。
【請求項１０】
請求項１に記載のシステムであって、前記埋め込み情報は、前記電子装置のための現在の装置用ファームウエアを含むことを特徴とするシステム。
【請求項１１】
請求項１０に記載のシステムであって、装置注文システムによる注文マネージャは、前記現在の装置用ファームウエアを自動的に選択して前記装置の注文に挿入することを特徴とするシステム。
【請求項１２】
請求項４に記載のシステムであって、前記装置の注文を生成するために前記ネットワークサーバと通信する前記注文装置の注文ＧＵＩは、前記装置のユーザが利用することを特徴とするシステム。
【請求項１３】
請求項１２に記載のシステムであって、前記装置の注文のための装置のモデル及び一又は二以上の装置の特徴を選択する前記注文ＧＵＩは、前記装置のユーザが利用することを特徴とするシステム。
【請求項１４】
請求項１２に記載のシステムであって、ユーザプロファイルからのユーザ情報を前記装置の注文に関連させる前記注文ＧＵＩは、前記装置のユーザが利用することを特徴とするシステム。
【請求項１５】
請求項１２に記載のシステムであって、前記装置の注文のための一又は二以上のユーザの好み及び装置の設定を選択する前記注文ＧＵＩは、前記装置のユーザが利用することを特徴とするシステム。
【請求項１６】
請求項１２に記載のシステムであって、前記装置の注文のためのコンテンツカタログから一又は二以上のコンテンツアイテムを選択する前記注文ＧＵＩは、前記装置のユーザが利用することを特徴とするシステム。
【請求項１７】
請求項１２に記載のシステムであって、前記注文マネージャは、前記装置の注文のための現在のファームウエア及び特別な要求を自動的に選択することを特徴とするシステム。
【請求項１８】
請求項１７に記載のシステムであって、前記注文マネージャは、前記装置の注文のために推奨エンジンから埋め込むべき推奨を取得することを特徴とするシステム。
【請求項１９】
請求項１８に記載のシステムであって、前記装置製造プロセスを実行するための前記装置の注文の最終的なバージョンを再検討して送信する前記注文ＧＵＩは、前記装置のユーザが利用することを特徴とするシステム。
【請求項２０】
電子装置を実装するための方法であって、
前記電子装置がアクセスし利用するための埋め込み情報を記憶するメモリ装置を前記電子装置に接続するステップと、
前記埋め込み情報を具体的に特定する装置の注文であって、前記埋め込み情報を用いて前記メモリ装置のイメージを取得する装置製造プロセス中に利用される装置の注文を生成するステップと、
を含むことを特徴とする方法。
【発明の詳細な説明】
【技術分野】
【０００１】
本発明は、一般に、電子装置を実装するための技術に関する。より詳細には、電子装置において情報を埋め込むためのシステム及び方法に関する。
【背景技術】
【０００２】
電子コンテンツを提供するための効果的な方法の実装は、近年の電子装置の設計者や製造者にとって重要事項である。しかしながら、装置が用いるコンテンツを効果的に提供することは、システム設計者にとって大きな課題となり得る。例えば、増大したコンテンツリソースのための改善要求は、システムの処理能力をより必要とする可能性があり、さらに、ソフトウエアの追加機能を必要とする可能性がある。処理又はソフトウエアへの要求の増加は、製造費の増加及び経営効率の悪化によって経済的に不利益な影響をもたらす可能性がある。
【０００３】
さらに、様々な高度な動作を実行するよう改良された装置の機能は、付加的利益をシステムユーザにもたらすが、様々なシステム構成要素の制御及び管理に対して多大な要求が必要となる可能性がある。例えば、改良された電子ネットワーク装置は、大量かつ複雑なデジタルデータを含むことから、効果的な実装により利益を得ることができる。その電子ネットワーク装置の例としては、様々なタイプの電子コンテンツを必要とするコンピュータゲームなどである。
【０００４】
システムリソース要求の増加及び実質的なデータ量の増加に起因して、電子装置に電子コンテンツを提供するための新しい技術の発達が、関連する電子技術のための重要事項であることは明らかである。したがって、上述したような理由が存在するにもかかわらず、必要なコンテンツを提供するための効果的な技術の発達は、近年の電子装置の設計者、製造者、ユーザにとって重要事項であり続けている。
【発明の概要】
【課題を解決するための手段】
【０００５】
本発明によって、電子装置において情報を埋め込むためのシステム及び方法を開示する。一実施例において、最初に、装置のユーザは、ネットワークサーバに接続するために注文装置を用いてログオンの手続きを実行する。装置のユーザは、電子装置を実装するために注文装置の注文ＧＵＩを利用し、装置の注文の作成を開始する。装置のユーザは、電子装置のための装置の所定のモデル及び装置の所望の特徴を選択する。装置のユーザは、ユーザプロファイルを現在の装置の注文に任意で関連させることができる。そして、装置のユーザは、電子装置上に埋め込むための任意かつ所望のコンテンツアイテムを選択することができる。コンテンツアイテムには、任意かつ適切なタイプの電子情報を含めることが可能である。例えば、コンテンツアイテムは、これらに限定しないが、コンピュータゲーム、映画、録音音声、図、画像、ビデオクリップ、文書のテキスト、及びソフトウエアプログラムを含むことができる。
【０００６】
次に、装置のユーザは、電子装置のための所望かつ特定のユーザの好み及び装置の設定を選択することができる。ネットワークサーバによる注文マネージャは、適切なファームウエアの現在のバージョンを自動的に特定し、装置の注文に付加することができる。また、注文マネージャは、推奨エンジンによる埋め込むべき推奨へアクセスし、装置の注文へ付加することができる。そして、製造者は、最終的な装置の注文を利用し、電子装置のためのメモリ装置のイメージを取得する。さらに、製造者は、既にメモリ上に記憶されている埋め込み情報を有する電子装置を組み立てて検査を行う。最後に、組み立てが完了している電子装置は、装置のユーザに供給される。その装置のユーザは、埋め込み情報を直ぐに利用することができる。したがって、少なくとも上記説明に関して、本発明は、電子装置において情報を埋め込むためのシステム及び方法を改善する。
【図面の簡単な説明】
【０００７】
【図１】本発明の一実施例によって、装置注文システムのブロック図を示す。
【図２】本発明による図１のネットワークサーバの一実施例についてのブロック図を示す。
【図３】本発明による図２におけるサーバのメモリの一実施例についてのブロック図を示す。
【図４】本発明による図３における推奨エンジンの一実施例についてのブロック図を示す。
【図５】本発明による電子装置の一実施例についてのブロック図を示す。
【図６】本発明によって、図５における装置のメモリの一実施例についてのブロック図を示す。
【図７】本発明による注文ＧＵＩの一実施例についてのブロック図を示す。
【図８】本発明による図３の装置の注文の一実施例についてのブロック図を示す。
【図９Ａ】本発明の一実施例による電子装置において情報を埋め込むための方法のステップについてのフローチャートを示す。
【図９Ｂ】本発明の一実施例による電子装置において情報を埋め込むための方法のステップについてのフローチャートを示す。
【図９Ｃ】本発明の一実施例による電子装置において情報を埋め込むための方法のステップについてのフローチャートを示す。
【発明を実施するための形態】
【０００８】
本発明は、電子装置を実装するための技術の改善に関する。以下の説明は、当業者が本発明を作り、用いることを可能とし、本出願及びそれの要求に関連して記載されている。開示されている実施例の様々な変更は、当業者にとって明らかであり、この点で、一般原則は、他の実施例に適用されてもよい。したがって、本発明は、示してある実施例に制限することを意図していないが、ここに開示されている原則及び特徴と適合する最大範囲と一致する。
【０００９】
本発明は、電子装置において情報を埋め込むためのシステム及び方法を含み、さらに、埋め込み情報を記憶するために電子装置に接続されているメモリ装置を備える。そして、電子装置は、その埋め込み情報にアクセスして、利用することができる。装置のユーザは、最初に、装置注文システムを利用し、装置の注文を生成する。その装置の注文は、埋め込み情報の様々な要素を具体的に特定する。そして、装置の注文は、電子装置が装置のユーザに供給される前に、埋め込み情報を用いてメモリ装置のイメージを取得する装置製造プロセスの間、利用される。
【００１０】
図１を参照すると、本発明の一実施例による装置注文システム１１０のブロック図が示されている。図１の実施例において、装置注文システム１１０は、これらに限定しないが、ネットワークサーバ１１８及び少なくとも一つの注文装置１２０を含むことができる。他の実施例において、装置注文システム１１０は、図１の実施例とともに説明されている特定の構成要素及び構成に加えて、又は、それらに代えて、ある構成要素及び構成を用いることによって実装することができる。
【００１１】
図１の実施例において、装置のユーザは、ネットワークサーバ１１８と通信する注文装置１２０を利用することができ、装置のユーザが購入する目的の電子装置（図５を参照）を選択し設定するために装置の注文処理を実行する。図１の実施例において、注文装置１２０は、効果的な方法で実装することができる。例えば、注文装置１２０は、ネットワークサーバ１１８と通信するコンピュータ装置を含むことができる。その通信は、インターネット又は他の任意かつ適切な接続を用いて行われる。図１の実施例において、ネットワークサーバ１１８は、任意の効果的な方法で実装することができ、装置の基本となる構成からカスタマイズされた電子装置を注文するためのサポートを行う。
【００１２】
したがって、本発明によると、装置のユーザは、製造プロセスに先立ってネットワークサーバ１１８と通信することができ、その製造プロセスは、注文された電子装置に埋め込みを行うための所望のタイプのコンテンツ及び他の情報を効果的に選択する。したがって、電子装置の即時かつ円滑な利用を容易とするような準備万端な状態で装置のユーザに電子装置を供給することが可能である。図１の装置注文システム１１０の実装及び利用に関するさらなる詳細は、図２乃至図９とともに以下で説明する。
【００１３】
図２を参照すると、本発明による図１のネットワークサーバ１１８の一実施例のためのブロック図が示されている。図２の実施例において、ネットワークサーバ１１８は、これらに限定しないが、サーバの中央処理ユニット（サーバのＣＰＵ）２１２、サーバのディスプレイ２１６、サーバのメモリ２２０、そして、一又は二以上のサーバのインプットインタフェース／アウトプットインタフェース（サーバのＩ／Ｏインタフェース）２２４を含むことができる。上述のネットワークサーバ１１８の構成要素は、サーババス２２８に接続することができ、また、サーババス２２８を介して通信することもできる。他の実施例において、ネットワークサーバ１１８は、図２の実施例とともに説明されている特定の構成要素及び構成に加えて、又は、それらに代えて、ある構成要素及び構成を用いることによって実装することができる。
【００１４】
図２の実施例において、サーバＣＰＵ２１２は、適切かつ互換性のある任意のマイクロプロセッサ装置を備えるよう実装することができ、望ましくは、そのマイクロプロセッサ装置がソフトウエア命令を実行し、これにより、ネットワークサーバ１１８の動作の制御及び管理を行う。図２のサーバのディスプレイ２１６は、任意かつ効果的なタイプのディスプレイ技術を含むことができ、そのディスプレイ技術は、様々な情報をサーバのユーザに表示するための適切なスクリーンを有するブラウン管モニタ装置又は液晶ディスプレイ装置を含むことができる。図２の実施例において、サーバのメモリ２２０は、所望のストレージ装置の任意の組み合わせを含むよう実装することができる。そのストレージ装置は、これらに限定しないが、読み取り専用メモリ（ＲＯＭ）や、ランダムアクセスメモリ（ＲＡＭ）、そして、フレキシブルディスク、メモリスティック、コンパクトディスク、ハードディスクなどのような様々なタイプの不揮発性メモリを含む。サーバのメモリ２２０の内容及び機能性は、図３とともに以下でさらに説明する。
【００１５】
図２の実施例において、サーバのＩ／Ｏインタフェース２２４は、一又は二以上のインプットインタフェース及び／又はアウトプットインタフェースを含むことができ、ネットワークサーバ１１８によって任意かつ必要なタイプの情報の受信及び／又は送信を行う。サーバのＩ／Ｏインタフェース２２４は、サーバのユーザがネットワークサーバ１１８と通信することを可能にするための一又は二以上の手段を含むことができる。ネットワークサーバ１１８の実装及び利用は、図９Ａ乃至図９Ｃとともに以下でさらに説明する。
【００１６】
図３を参照すると、本発明による図２におけるサーバのメモリ２２０の一実施例のについてのブロック図が示されている。図３の実施例において、サーバのメモリ２２０は、これらに限定しないが、サーバアプリケーション３１２、注文マネージャ３１６、埋め込み用データベース３２０、プロファイルマネージャ３２４、クライアントプロファイル３２８、推奨エンジン３３２、そして、一又は二以上の装置の注文３３６を備えることができる。他の実施例において、サーバのメモリ２２０は、図３の実施例とともに説明されている特定の構成要素及び機能性に加えて、又は、それらに代えて、他の様々な構成要素及び機能性含むことができる。
【００１７】
図３の実施例において、サーバアプリケースション３１２は、プログラム命令を含むことができ、そのプログラム命令は、ネットワークサーバ１１８のための様々な機能及び動作を実行するサーバのＣＰＵ２１２（図２）によって実行されるのが望ましい。サーバアプリケーション３１２の特定の性質及び機能性は、通常、対応するネットワークサーバ１１８の特定のタイプ及び特有な機能性などのような要素に依存して変化する。図３の実施例において、ネットワークサーバ１１８は、注文装置１２０（図１）を介して装置のユーザと通信するための注文マネージャ３１６を利用することができ、新しい電子装置を設定及び製造するための装置の注文３３６を動的に生成する。図３の実施例において、上述した装置の注文３３６の生成の間、埋め込み用データベース３２０は、注文マネージャ３１６が装置のユーザに供給するための必要な情報を含むことができる。
【００１８】
図３の実施例において、プロファイルマネージャ３２４は、クライアントのプロファイル３２８を収集し分析するよう利用されていてもよく、そのクライアントプロファイルそれぞれは、装置のユーザに対応する情報を含む。その装置のユーザは、装置の注文を生成するための装置注文システム１１０を利用するユーザである。図７の実施例において、クライアントプロファイル３２８は、対応する装置にユーザに関する任意かつ所望のタイプの情報を含むことができる。例えば、クライアントプロファイル３２８は、人口学的情報を含むことができる。その人口学的情報は、これらに限定しないが、ユーザの年齢、ユーザの性別、ユーザの位置、ユーザの民族性、ユーザの婚姻歴、ユーザの家族情報、ユーザの年間所得階層、ユーザの職業、ユーザの趣味、ユーザの趣味、そして、ユーザの政治的ポリシーを含む。
【００１９】
図３の実施例において、推奨エンジン３３２は、事前に定義されている様々なタイプのクライアント統計データ及びプロファイル情報を分析するよう利用されていてもよく、適切な電子装置上に関連情報を埋め込むための埋め込むべき推奨を生成する。例えば、ある実施例において、推奨エンジン３３２は、装置の注文３３６における注文情報を分析することができ、適切な埋め込むべき推奨を作成する。注文マネージャ３１６の動作及び実装に関する更なる詳細は、図９Ａ乃至図９Ｃとともに以下でさらに説明する。
【００２０】
図４を参照すると、本発明による図３の推奨エンジン３３２の一実施例のための略図が示されている。図４の実施例において、推奨エンジン３３２は、これらに限定しないが、ランキングマネージャ４１２、統計アナライザ４１６、プロファイルアナライザ４２０を含むことが可能である。他の実施例において、推奨エンジン３３２は、図４の実施例とともに説明されている特定の要素及び構成に加えて、又は、それらに代えて、他の要素及び構成を含むことができる。
【００２１】
図４の実施例において、推奨エンジン３３２は、所定の電子装置１２６（図１）のための個々のクライアントの統計及びクライアントプロファイルの関連性のある様々なタイプを分析するためのランキングマネージャ４１２を利用することができ、これにより、そのような電子装置のための埋め込むべき推奨を生成する。例えば、ランキングマネージャ４１２は、埋め込むべき推奨を電子装置のために動的に生成することができる。その生成は、事前に定義されているクライアント統計を分析する統計アナライザ４１６を利用することによって行われる。クライアント統計は、任意かつ適切な情報又はデータを含むことができる。その情報又はデータは、これらに限定しないが、現在の装置の注文３３６（図３）による具体的な詳細を含む。さらに、ランキングマネージャ４１２は、対応するクライアントプロファイル３２８（図３）からの情報を分析するプロファイルアナライザ４２０を利用することができる。推奨エンジン３３２の機能性及び利用は、図９Ａ乃至図９Ｃとともに以下でさらに説明する。
【００２２】
図５を参照すると、本発明による電子装置１２６の一実施例のためのブロック図が示されている。上述の通り、前もって作成されている装置の注文３３６によって電子装置１２６を構成及び製造することができる。図５の実施例において、電子装置１２６は、これらに限定しないが、装置の中央処理ユニット（装置のＣＰＵ）５１２、装置のディスプレイ５１６、装置のメモリ５２０、そして、装置の一又は二以上のインプットインタフェース／アウトプットインタフェース（装置のＩ／Ｏインタフェース）５２４を含むことができる。電子装置１２６の上述の構成要素は、装置のバス５２８に接続することができ、また、装置のバス５２８を介して通信することもできる。
【００２３】
他の実施例において、電子装置１２６は、図５の実施例とともに説明されている特定の構成要素及び構成に加えて、又は、それらに代えて、様々な構成要素及び構成を用いて容易に実装することができる。さらに、図５の実施例において、電子装置１２６は、任意のタイプの適切な電子装置として実装することができる。例えば、ある実施例において、電子装置１２６は、ゲーム装置、テレビ、パーソナルコンピュータ、セットトップボックス、音楽−映像用娯楽機器、携帯電話、又は、携帯情報端末（ＰＤＡ）などのような任意のタイプの固定型消費者向け電子装置又は携帯型消費者向け電子装置として実装することができる。
【００２４】
図５の実施例において、装置のＣＰＵ５１２は、適切かつ互換性のある任意のマイクロプロセッサ装置を含むよう実装することができ、望ましくは、そのマイクロプロセッサ装置がソフトウエア命令を実行し、これにより、電子装置１２６の動作の制御及び管理を行う。図５の装置のディスプレイ５１６は、任意かつ効果的なタイプのディスプレイ技術を含めることができ、そのディスプレイ技術は、様々な情報を装置のユーザに表示するための適切なスクリーンを有するブラウン管モニタ装置又は液晶ディスプレイ装置を含むことができる。図５の実施例において、装置のメモリ５２０は、所望のストレージ装置の任意の組み合わせを含むよう実装することができる。そのストレージ装置は、これらに限定しないが、読み取り専用メモリ（ＲＯＭ）や、ランダムアクセスメモリ（ＲＡＭ）、そして、フレキシブルディスク、メモリスティック、コンパクトディスク、ハードディスクなどのような様々なタイプの不揮発性メモリを含む。装置のメモリ５２０の内容及び機能性は、図６とともに以下でさらに説明する。
【００２５】
図５の実施例において、装置のＩ／Ｏインタフェース５２４は、一又は二以上のインプットインタフェース及び／又はアウトプットインタフェースを含むことができ、電子装置１２６によって任意かつ必要なタイプの情報の受信及び／又は送信を行う。装置のＩ／Ｏインタフェース５２４は、装置のユーザが電子ネットワーク１１０（図１Ａ）内の他のエンティティと通信することを可能にするための一又は二以上の手段を含むことができる。例えば、上記の手段は、キーボード装置や、無線リモート制御装置、マイクに相当する音声認識モジュール、タッチスクリーン機能を有するグラフィックユーザインタフェース、手持ち型装置のコントローラユニット、又は、電子装置１２６の外部に配置されている選択ボタンアレイなどを含むことが可能である。電子装置１２６の注文実行及び実装は、図９Ａ乃至図９Ｃとともに以下でさらに説明する。
【００２６】
図６を参照すると、本発明によって、図５における装置のメモリ５２０の一実施例のためのブロック図が示されている。図６の実施例において、装置のメモリ５２０は、これらに限定しないが、装置のアプリケーション６１２、ファームウエア６１６、ユーザの好み６１８、埋め込み情報６２０、一般的なストレージ６２４を備える。他の実施例において、装置のメモリ５２０は、図６の実施例とともに説明されている特定の構成要素及び機能性に加えて、又は、それらに代えて、他の構成要素及び機能性を含むことができる。
【００２７】
図６の実施例において、装置のアプリケーション６１２は、プログラム命令を含むことができ、そのプログラム命令は、電子装置１２６のための様々な機能及び動作を実行する装置のＣＰＵ５１２（図５）によって実行されるのが望ましい。装置のアプリケーション６１２の特定の性質及び機能性は、通常、対応する電子装置１２６の特定のタイプ及び特有な機能性などのような要素に依存して変化する。
【００２８】
図６の実施例において、ファームウエア６１６は、任意かつ適切なタイプのソフトウエアプログラム又はルーチンを含むことができる。例えば、ある実施例において、ファームウエア６１６は、電子装置１２６及び様々なタイプのソフトウエアドライバのためのオペレーティングシステムを含むことが可能である。図６の実施例において、ユーザの好み６１８は、所定の電子装置１２６のユーザによって期待される好み及び設定に関する任意のタイプの情報を含むことが可能である。図６の実施例において、埋め込み情報６２０は、任意のタイプの電子情報を含むことができる。その電子情報は、電子装置１２６の製造に先立って、装置のユーザによって装置の注文３３６おいて特定される。図６の実施例において、電子装置１２６は、任意のタイプの電子情報を記憶するための一般的なストレージ６２４を利用することができる。埋め込み情報６２０の設定及び埋め込みは、図９Ａ乃至図９Ｃとともに以下でさらに説明する。
【００２９】
図７を参照すると、本発明による注文グラフィックユーザインタフェース（注文ＧＵＩ）７１２の一実施例のためのブロック図が示されている。ある実施例において、注文装置１２０（図１）上で注文ＧＵＩ７１２を表示することができる。図７の実施例は、例示の目的で示しており、他の実施例において、注文ＧＵＩ７１２は、図７の実施例とともに説明されている特定の構成要素、機能性、及び、情報に加えて、又は、それらに代えて、ある構成要素、機能性、及び、情報を含むことができる。
【００３０】
図７の実施例において、注文ＧＵＩ７１２は、対応する注文の機能を選択するための一連のアイコンを有し、電子装置１２６（図５）を実装するためにカスタマイズされた装置の注文３３６（図３）を生成する。他の実施例において、注文ＧＵＩ７１２を実装するよう他の効果的な構成及び機能を利用することができる。図７の実施例において、電子装置１２６のためのモデルタイプの選択肢を表示して選択するよう装置のモデルアイコン７１６を利用することができる。同様に、電子装置１２６のためのモデルの特徴の選択肢を表示して選択するよう装置の特徴アイコン７２０を利用することができる。
【００３１】
図７の実施例において、一連のコンテンツのアイテムから表示して選択するようコンテンツカタログアイコン７３２を利用することができる。そのコンテンツのアイテムは、これらに限定しないが、映画、録音音声、図、画像、ビデオクリップ、文書のテキスト、及びソフトウエアプログラムを含む。同様に、多くのコンピュータゲームから表示して選択するようコンピュータゲームアイコン７３６を利用することができる。図７の実施例において、電子装置１２６のための所望のユーザの好み又は装置の設定を表示して選択するようユーザの好みについてのアイコン７２４を利用することができる。
【００３２】
図７の実施例において、電子装置１２６を実装するために自動で選択されたファームウエアの現在のバージョンを再検討して編集するようファームウエアアイコン７４０を利用することができる。ユーザプロファイルの作成及び編集を行うよう、さらに、適切なユーザプロファイルを現在の装置の注文に関連させるようユーザプロファイルアイコン７４４を利用することができる。装置の注文３３６を再検討して編集するよう再検討／編集の注文アイコン７４８を利用することができる。最後に、装置の注文３３６による特定の情報を電気的に埋め込むために装置の注文３３６を決定して送信するよう注文送信アイコン７５２を有効にすることができ、そして、その情報は、対応する電子装置１２６の最終的な製品及び組立品に含めるためのメモリ装置上に埋め込まれる。
【００３３】
図８を参照すると、本発明による図３についての装置の注文の一実施例についてのブロック図が示されている。ある実施例において、図８の装置の注文３３６は、図７の注文ＧＵＩ７１２を利用することによって生成され得る。他の実施例において、装置の注文３３６は、任意かつ他の効果的な方法で生成されてもよい。その効果的な方法は、電子装置１２６の製造者への物理的な供給のために、テキストハードコピーの変形として装置の注文３３６を手動で印刷することを含む。図８の実施例は、例示の目的のために提示する。他の実施例において、装置の注文３３６は、図８の実施例とともに説明されている特定の構成要素及び情報に加えて、又は、それらに代えて、ある構成要素及び情報を含むことができる。
【００３４】
図８の実施例において、装置のモデル／特徴セクション８１２は、電子装置１２６のための装置のモデル及び一又は二以上の装置の特徴を特定することができる。コンテンツ選択セクション８１６は、一又は二以上のコンテンツアイテムを特定することができる。そのコンテンツアイテムは、これらに限定しないが、映画、コンピュータゲーム、録音音声、図、画像、ビデオクリップ、文書のテキスト、及びソフトウエアプログラムを含むことができる。同様に、ユーザの好み／設定のセクション８１８は、電子装置１２６のためのユーザの所望の好み及び／又は装置の設定を特定することができる。
【００３５】
図８の実施例において、ファームウエアセクション８２０は、ファームウエアの一又は二以上の現在のバージョンを表すことができる。そのファームウエアは、電子装置１２６を実装するための注文マネージャ３１６（図３）によって自動で選択される。電子装置１２６に埋め込むための任意かつ特別なアイテムを表すよう特別なアイテムのセクション８２４を利用することができる。例としては、特別なアイテムのセクション８２４において、様々なタイプの特別な要求は、装置の注文３３６に含まれていてもよい。装置の注文３３６の生成及び利用は図９Ａ乃至図９Ｃとともに以下でさらに説明する。
【００３６】
図９Ａ乃至図９Ｃを参照すると、本発明の一実施例による電子装置１２６上に情報を埋め込むための方法のステップについてのフローチャートが示されている。図９Ａ乃至図９Ｃのフローチャートは、例示の目的のために示される。他の実施例において、本発明は、図９Ａ乃至図９Ｃの実施例とともに説明される、それらステップ及び順序以外のステップ及び順序を利用することができる。
【００３７】
図９Ａの実施例において、ステップ９１４では、装置のユーザは、最初に注文装置１２０を用いてログオンの手続きをネットワークサーバ１１８（図１）に接続するために実行する。ステップ９１８において、装置のユーザは、注文ＧＵＩ７１２（図７）を利用し、電子装置１２６を実装するための装置の注文３３６を生成することを開始する。特に、装置のユーザは、電子装置１２６のための装置の特定のモデル及び装置の所望の特徴を選択する。ステップ９２２において、装置のユーザは、任意で、クライアントプロファイル／ユーザプロファイル３２８を現在の装置の注文３３６に関連させることができる。ステップ９２６において、装置のユーザは、電子装置１２６上に埋め込むための任意かつ所望のコンテンツアイテムを選択することができる。コンテンツアイテムは、任意かつ適切なタイプの電子情報を含むことができる。例えば、コンテンツアイテムは、これらに限定しないが、コンピュータゲーム、映画、録音音声、図、画像、ビデオクリップ、文書のテキスト、及びソフトウエアプログラムを含むことができる。
【００３８】
ステップ９３０及び９３４において、装置のユーザは、電子装置１２６のためのユーザの特定かつ所望の好み及び装置の設定を選択することができる。ステップ９３８において、ネットワークサーバ１１８による注文マネージャ３１６は、適切なファームウエア６１６の現在のバージョンを自動的に特定して装置の注文３３６へ追加する。ステップ９４２において、注文マネージャ３１６は、推奨エンジン３３２による埋め込むべき推奨にアクセスして装置の注文３３６へ追加する。ステップ９４６において、製造者は、最終的な装置の注文３３６を利用して、電子装置１２６のためのメモリ装置５２０のイメージを取得する。ステップ９５０において、製造者は、メモリ５２０上に既に記憶されている埋め込み情報６２０を有する電子装置１２６を組み立てて検査を行う。ステップ９５４において、完全に組み立てられた電子装置１２６は、装置のユーザへ供給され、そのユーザは、ステップ９５８において、埋め込み情報６２０を即座に利用することができる。したがって、少なくとも上記の説明に関して、本発明は、電子装置において情報を埋め込むための改善されたシステム及び方法を提供する。
【００３９】
所定の実施例に関して、本発明を上述の通り説明した。他の実施例は、この開示を考慮することで、当業者にとって明らかとなるであろう。例えば、本発明は、上述の特定の実施例において開示されているもの以外の所定の構成及び技術を用いて容易に実装することができる。加えて、本発明は、本発明は、上述のもの以外のシステムとともに効果的に用いることができる。したがって、上述の実施例による、これらの変形及び他の変形は、本発明によって保護されることを目的とし、本発明は、特許請求の範囲によってのみ限定される。
【図１】
2009289261.tif 000003
【図２】
2009289261.tif 000004
【図３】
2009289261.tif 000005
【図４】
2009289261.tif 000006
【図５】
2009289261.tif 000007
【図６】
2009289261.tif 000008
【図７】
2009289261.tif 000009
【図８】
2009289261.tif 000010
【図９Ａ】
2009289261.tif 000011
【図９Ｂ】
2009289261.tif 000012
【図９Ｃ】
2009289261.tif 000013